(57)【要約】【課題】  左右方向に大きなスペースが要らずに、センター役物や、他の装置との組み合わせの自由度が高くなるようにする。【解決手段】  振り分け装置２５は、図示しない盤面に対して平行でほぼ水平な軸Ｊを中心として回転駆動されるほぼ円盤状の本体２７を有している。この本体２７には遊戯球より径大な複数の孔２８〜３３が前記軸Ｊと平行に貫通形成されており、孔２８〜３３の内面には、本体２７の所定の回転角度位置で遊戯球を保持する凹部２８ａ〜３３ａが形成され、また、孔２８〜３３の内面には、前記凹部２８ａ〜３３ａとほぼ対向して、前記本体２７が前記所定の回転位置からほぼ所定角度回転したときに遊戯球を前記孔２８〜３３の左右いずれかの開口端側へ振り分ける凸部２８ｂ〜３３ｂが形成されている。【選択図】  図１
2006014797.tif 000002
【特許請求の範囲】
【請求項１】
遊戯盤の盤面に対して平行でほぼ水平な軸を中心として回転駆動される本体と、
この本体に前記軸と平行に貫通形成された遊戯球より径大な複数の孔と、
この孔の内面に形成され、該孔に進入した遊戯球を保持する凹部と、
前記孔の内面に前記凹部とほぼ対向して形成され、前記凹部で保持した遊戯球を前記本体の回転に伴って左右いずれかへ振り分ける凸部と
を備えてなる遊技機の振り分け装置。
【請求項２】
凹部はほぼＶ状をなし、凸部もほぼＶ状をなすことを特徴とする請求項１に記載の遊技機の振り分け装置。
【請求項３】
本体は外部から遊戯球を目視可能な透明又は半透明であることを特徴とする請求項１に記載の遊戯機の振り分け装置。
【請求項４】
複数の孔においては、左右への遊戯球の振り分け確率が異なることを特徴とする請求項１に記載の遊戯機の振り分け装置。
【発明の詳細な説明】
【技術分野】
【０００１】
本発明は、センター役物などに組み込まれる遊技機の振り分け装置に関する。
【背景技術】
【０００２】
遊技機においては、センター役物に入球した遊戯球を二つの行き先のいずれかに振り分ける振り分け装置を備えたものがある。このものでは、その振り分けに期待感があって興趣性も良い。例えば、特許文献１に示されるように、一部を開口する円筒状の外壁と、この外壁内に配置された回転体とを備え、この回転体は、誘導壁部と、特定入賞口及び普通入賞口を有し、前記開口から入球した遊戯球は、球誘導壁内に貯留し、貯留された遊戯球は回転体の回転によって球誘導壁を伝って入賞部まで案内され、入賞部で特定入賞口及び普通入賞口に振り分けられる構成の振り分け装置がある。
【特許文献１】特開２００４−１２１４９３号公報
【発明の開示】
【発明が解決しようとする課題】
【０００３】
ところが、従来の振り分け装置では、左右方向に大きなスペースがいるため、センター役物の設計に制約が多く、また、他の装置との組み合わせなどにも限界がある。
本発明は上述の事情に鑑みてなされたものであり、その目的は、興趣性が良いことはもちろん、左右方向に大きなスペースが要らずに、センター役物や、他の装置との組み合わせの自由度が高くなる遊戯機の振り分け装置を提供するにある。
【課題を解決するための手段】
【０００４】
請求項１の発明は、
遊戯盤の盤面に対して平行でほぼ水平な軸を中心として回転駆動される本体と、
この本体に前記軸と平行に貫通形成された遊戯球より径大な複数の孔と、
この孔の内面に形成され、該孔に進入した遊戯球を保持する凹部と、
前記孔の内面に前記凹部とほぼ対向して形成され、前記凹部で保持した遊戯球を前記本体の回転に伴って左右いずれかへ振り分ける凸部と
を備えて構成される。
【０００５】
これにおいては、ほぼ円盤状をなす本体が盤面に対して平行でほぼ水平な軸を中心として回転駆動されるから、本体は盤面に垂直な回転軌跡となり、左右方向のスペースとしては、本体の厚み分程度で済み、左右方向に大きなスペースを必要としない。そして、本体の複数の孔の一つに入球した遊戯球は、この本体の垂直方向の回転に伴って上方向あるいは下方向に移動し、所定角度位置で凸部によりこの孔の左右のいずれか方向へ振り分けられる。この振り分け動作により、興趣性も良い。従って、この振り分け先に特定入賞口や普通入賞口あるいはそれらへの入球可能性の高い役物を設けておくことで、振り分けの興趣性バリエーションも増加する。
【０００６】
請求項２は、凹部がほぼＶ状をなし、凸部もほぼＶ状をなすところに特徴を有するものであり、これによれば、比較的製作しやすい利点がある。
請求項３は、本体が外部から遊戯球を目視可能な透明又は半透明であるところに特徴を有する。これによれば、本体の孔に入った遊戯球が上あるいは下へ移動して左右のいずれかに振り分けられる様子が分かって興趣性が向上する。
【０００７】
請求項４の発明は、複数の孔においては、左右への遊戯球の振り分け確率が異なるところに特徴を有する。これによれば、さらに興趣性が向上する。
【発明を実施するための最良の形態】
【０００８】
以下、本発明をパチンコ機に適用した第１の実施例につき図１ないし図８を参照して説明する。図８に示すように、パチンコ機１の遊戯盤２には作動口３及び大入賞口４が設けられており、遊戯盤２は遊戯領域を構成している。作動口３は、遊戯球５（図３〜図５参照）の通路を備えており、その通路入口には羽根６が開閉可能に支持されている。
大入賞口４の前にはシャッタ７が設けられている。このシャッタ７は図示しないソレノイドにより作動させられて大入賞口４を開閉する。
【０００９】
遊戯盤２の中央部分（作動口３の上方）には、可変表示装置としての特別図柄表示装置（以下単に表示装置という）８が組み込まれている。この表示装置８では、図柄変動が、遊戯球５の作動口３への入賞に基づいて開始させられる。この場合、図柄が大当たり図柄となると、大入賞口４が開放し、大当たりの状態となり、より多くの賞球を獲得することが可能となる。
【００１０】
上記表示装置８を取り囲むようにセンター役物９が設けられている。このセンター役物９は、枠部１０及び役物本体部１１を備えて構成されている。枠部１０は、左右の側部１０ａ、１０ｂ、上部１０ｃからなる。
左右の側部１０ａ、１０ｂにはワープ通路１２が形成されており、そのワープ通路入口たる遊戯球入口１２ａは左右の側部１０ａ、１０ｂの前端部に張り出した形態に形成されている。そしてワープ通路出口たる遊戯球放出口１２ｂ（図６参照）は、役物本体部１１の上ステージ１４（後述する）の左右両端で開口している。
【００１１】
役物本体部１１は、図５〜図７に示すように構成されている。ベース１３には、上ステージ１４と、下ステージ１５と、両ステージ１４、１５間にこれらより高く設けられた仕切り壁部１６、１７、１８、１９と有している。
上ステージ１４の中央部分はやや高くなっており、その中央部分には、導入口部２０が形成されており、この導入口部２０は下ステージ１５下方を通って前面の導出口部２１へ連通している。この導出口部２１は、前記作動口３の真上に位置している。従って、前記導入口部２０に入った遊戯球５は作動口３に高い確率で入るようになっている。
【００１２】
さらに上ステージ１４において、導入口部２０の両側は低く形成されており、仕切り壁部１８、１９において下ステージ１４の低部に対応する部分には、通し孔２２、２３が形成されている。下ステージ１５は、中央ステージ部１５ａ、左ステージ部１５ｂ、右ステージ部１５ｃに分かれていて、左ステージ部１５ｂ、右ステージ部１５ｃは、それぞれ、通し孔２２、２３部分で高くなっている。通し孔２２を出た遊戯球５は左ステージ部１５ｂのうち中央側へ下降傾斜する傾斜面１５ｂ´及び外側へ傾斜する傾斜面１５ｂ´´のどちらかへ移動するようになっている。通し孔２３を出た遊戯球５は右ステージ部１５ｃのうち中央側へ下降傾斜する傾斜面１５ｃ´及び外側へ傾斜する傾斜面１５ｃ´´のどちらかへ移動するようになっている。なお、傾斜面１５ｂ´、１５ｃ´の前端には落下防止リブ１５ｄ、１５ｅが形成されていて、これにより落下が阻止されて後述の振り分け装置２５、２６の孔２８〜３３に入るようになっている。
【００１３】
前記仕切り壁部１６、１７の上面には、球案内路１６ａ、１７ａが形成されており、これは後述の振り分け装置２５、２６から出た遊戯球５を前記導入口部２０へと案内するように形成されている。また仕切り壁部１８、１９の上面にも球案内路１８ａ、１９ａが形成されており、これは後述の振り分け装置２５、２６から出た遊戯球５を、役物本体部１１の左右に形成された排出口部１１ａ、１１ｂ（図６参照）に案内するものである。
【００１４】
上ステージ１４と下ステージ１５との間でなお且つ仕切り壁部１６、１７の間には、戻し装置２４が矢印Ａ方向へ回転駆動されるように設けられている。この戻し装置２４は、回転体２４ａに磁石２４ｂを複数個埋め込んで構成されており、下ステージ１５の中央部分に至った遊戯球５の一部を磁気的に吸着して導入口部２０へ入れるものである。
前記振り分け装置２５は、上ステージ１４及び下ステージ１５間でなお且つ仕切り壁部１６及び１８間に設けられ、もう一つの振り分け装置２６は、上ステージ１４及び下ステージ１５間でなお且つ仕切り壁部１７及び１９間に設けられている。両振り分け装置２５、２６は同じ構成であるので、一方の振り分け装置２５を代表して述べる。
【００１５】
図１〜図４に示すように、振り分け装置２５は、円盤状をなす合成樹脂製の本体２７を備えており、この本体２７は半透明に形成されている。この本体２７には、例えば等間隔に６つの孔２８〜３３が軸（図１に仮想の軸を符号Ｊにて示す）方向に平行に貫通するように形成されている。各孔２８〜３３は遊戯球５より径大で該遊戯球５の通過が可能な大きさである。各孔２８〜３３には、その内面に、例えばＶ状の凹部２８ａ〜３３ａが形成されていると共に、これら凹部２８ａ〜３３ａと対向する位置にＶ状の凸部２８ｂ〜３３ｂが形成されている。この凹部２８ａ〜３３ａと凸部２８ｂ〜３３ｂとの上下位置関係は、所定回転例えばほぼ１８０°回転により逆となる。
【００１６】
この凸部２８ｂ〜３３ｂは、左右への振り分けの確率を変えるために、その頂部の位置あるいは傾斜状態などを異ならせている。この場合、一つだけの凸部の形状を変えて振り分け確率を他と異ならせても良い。
また本体２７の中心部には回転軸（図示せず）を嵌合連結するための連結孔２７ａが形成されている。そして、この振り分け装置２５は、図示しないが、その回転軸２７ｂ（図５参照）が、仕切り壁部１６及び１８の内部で、盤面に平行でほぼ水平な形態に軸支されており、そして、この回転軸は役物本体部１１内に設けられた図示しないモータにより矢印Ｂ方向へ回転駆動されるようになっている。なお、前記戻り装置２４も上記図示しないモータあるいは別のモータにより回転駆動されるようになっている。
【００１７】
この振り分け装置２５は、下ステージ１５において左ステージ部１５ｂの傾斜面１５ｂ´と、中央ステージ部１５ａとに面する形態であり、また前記仕切り壁部１６、１８上面の球案内路１６ａ、１８ａに面する形態である。
なお、もう一つの振り分け装置２６は、下ステージ１５において右ステージ部１５ｃの傾斜面１５ｃ´と、中央ステージ部１５ａとに面する形態であり、また前記仕切り壁部１７、１９上面の球案内路１７ａ、１９ａに面する形態である。
【００１８】
そして、各孔２８〜３３は、傾斜面１５ｂ´、１５ｃ´近くの回転角度位置で凹部２８ａ〜３３ａが下部となり、球案内路１６ａ、１７ａ近くの回転角度位置で凸部２８ｂ〜３３ｂが下部となる。
さて、上記構成において、遊戯球５が図８の遊戯球入口１２ａに入ると、図６の遊戯球放出口１２ｂから上ステージ１４に放出される。この遊戯球５は図５、図６に示すように、センター役物９内で、いろいろの経路を経るが、特徴的なコースについて述べる。ステージ１４に至った遊戯球５は、矢印Ｃで示すように、導入口部２０に入って導出口部２１から出たり、あるいは、矢印Ｄで示すように通し孔２２を通って下ステージ１５の傾斜面１５ｂ´´から落ちたり、あるいは矢印Ｅで示すように傾斜面１５ｂ´へ向かったりする。
【００１９】
この傾斜面１５ｂ´に向かった遊戯球５は振り分け装置２５の孔２８〜３３のいずれに進入する。この場合、遊戯球５の勢いが強いと、孔を通過するが、適度な勢いであると、各孔２８〜３３の凹部２８ａ〜３３ａにより保持される。
そして、本体２７の回転により上方へ持ち上げられてやや下降して球案内路１６ａ及び１８ａ近くになると（所定回転角度回転すると）、凹部２８ａ〜３３ａと凸部２８ｂ〜３３ｂとの上下位置関係が逆となり、孔２８〜３３内の遊戯球５が凸部２８ｂ〜３３ｂにより右側（矢印Ｇ方向）か左側（矢印Ｆ方向）へ振り分けられる。この場合、例えば左側へ振り分けられる確率は、上記凸部２８ｂ〜３３ｂの頂部の位置や凸部２８ｂ〜３３ｂの傾斜角の付け方によって決定されるものである。
【００２０】
そして、振り分け装置２５において遊戯球５が右側（矢印Ｇ方向）へ振り分けられた場合には、球案内路１６ａを経て導出口部２０へと誘導される。従って、作動口３に入る確率が高い。また、遊戯球が左側（矢印Ｆ方向）へ振り分けられた場合には、球案内路１８ａを経て排出口部１１ａから出る。この場合作動口３に入る確率は低い。
なお、矢印Ｅ方向へ転動した遊戯球５のうち振り分け装置２５の孔２８〜３３を通過した遊戯球５は、中央ステージ部１５ａに至って、その前端から落ちたり、あるいは戻し装置２４の磁石２４ｂにより磁気吸着されて上方へ戻されて導入口部２０へ入れられたりする。
【００２１】
また、右側の振り分け装置２６も左側の振り分け装置２５と同様に動作する。
このような本実施例によれば、振り分け装置２５、２６において、ほぼ円盤状をなす本体２７が盤面に対して平行でほぼ水平な軸を中心として回転駆動されるから、本体２７は盤面に垂直な回転軌跡となり、左右方向のスペースとしては、本体２７の厚み分程度で済み、左右方向に大きなスペースを必要としない。そして、本体２７の複数の孔２８〜３３の一つに入球した遊戯球５は、この本体２７の垂直方向の回転に伴って上方向に移動し、所定角度位置で凸部２８ｂ〜３３ｂにより左右のいずれか方向へ振り分けられる。この振り分け動作により、興趣性が良い。従って、この振り分け先に、導入口部２０、排出口部１１ａ、１１ｂを設けておくことで、振り分けの興趣性バリエーションも増加する。
【００２２】
特に、本実施例によれば、凹部２８ａ〜３３ａがほぼＶ状をなし、凸部２８ｂ〜３３ｂもほぼＶ状をなす構成としたから、比較的製作しやすい利点がある。
また本実施例によれば、本体２７が外部から遊戯球５を目視可能な半透明であるから、本体２７の孔２８〜３３に入った遊戯球５が上へ移動して左右のいずれかに振り分けられる様子が分かって興趣性が向上する。なお、本体２７は透明であっても良い。
【００２３】
さらにまた、複数の孔２８〜３３において、左右への遊戯球の振り分け確率が異なるようにしたから、さらに興趣性が向上する。
図９には本発明の第２の実施例を示しており、この図９においては、各孔２８〜３３の凸部２８ｂ〜３３ｂを孔２８〜３３の内面一部にＶ溝状に形成し、凹部２８ａ〜３３ａも孔２８〜３３の一部Ｖ突起状に形成した点が第１の実施例と異なる。このようにしても、同様の効果を得ることができる。
【００２４】
図１０及び図１１は本発明の第３の実施例を示しており、センター役物３４の構成が第１の実施例と異なる。このセンター役物３４は、役物本体部３４ａに、入球室３５と、上室３６と、下室３７とを有し、この下室３７の前端にはＶ入賞口３８と普通入賞口３９とが左右に形成されている。
さらに入球室３５の左右壁を構成する羽根部材３５ａ、３５ｂは、図示しない入球口に遊戯球が入ると、例えば一定時間開放するようになっている。また、この入球室３５の奥部には、球取入口３５ｃが形成され、上室３６の奥部に形成された球放出口（図示せず）と通路３６ａを介して連通している。
【００２５】
前記上室３６と下室３７とを仕切る仕切り壁４０には、配設孔４０ａが形成されており、この配設孔４０ａに、第１の実施例における振り分け装置２５、２６と同じ構成の振り分け装置４１が回転駆動されるように配置されている。この振り分け装置４１は、その一部（上部）が上室３６に位置し、下部が下室３７に位置する。
この振り分け装置４１は第１の実施例と同様に構成されており、この場合、各孔２８〜３３は、上室３６における角度位置で、内面下部に凹部２８ａ〜３３ａが位置し、下室３７における角度位置で、内面下部に凸部２８ｂ〜３３ｂが位置するように取り付けられている。
【００２６】
この構成において、羽根部材３５ａ、３５ｂの開放によって遊戯球が入球室３５の球取入口３５ｃに入ると、これと連通する球放出口３６ａから上室３６に入る。そして、振り分け装置４１の孔２８〜３３のいずれかに入って凹部２８ａ〜３３ａにより保持され、本体２７の矢印Ｈ方向へ回動（下方向への回動）により下室３７に移動され、そして、凸部２８ｂ〜３３ｂにより左右のいずれかに振り分けられる。この場合、左側に振り分けられると、Ｖ入賞口３８に入る確率が高く、右に振り分けられると、普通入賞口３９に入る確率が高い。
【００２７】
また、図１２は本発明の第４の実施例を示しており、この実施例における振り分け装置４２は、各孔２８〜３３にスリット４３を形成した点が第１の実施例と異なる。このようにすると、遊戯球の動きが良くわかる。
なお、本発明の振り分け装置は、種々の形態のセンター役物や、他の役物にも適用できるものであり、また本体２７の形状は、円盤状に限られず、多角形でも良い。
【図面の簡単な説明】
【００２８】
【図１】本発明の第１の実施例を示す振り分け装置の斜視図
【図２】同振り分け装置の側面図
【図３】図２の矢印Ｐ−Ｐ線に沿う断面図
【図４】図２の矢印Ｑ−Ｑ線に沿う断面図
【図５】センター役物の役物本体部の斜視図
【図６】同役物本体部の平面図
【図７】同役物本体部の正面図
【図８】パチンコ機の遊戯盤を示す正面図
【図９】本発明の第２の実施例を示す図３相当図
【図１０】本発明の第３の実施例を示すセンター役物の斜視図
【図１１】同センター役物の正面図
【図１２】本発明の第４の実施例を示す図２相当図
【符号の説明】
【００２９】
図面中、１はパチンコ機（遊技機）、２は遊戯盤、３は作動口、４は大入賞口、９はセンター役物、１０は枠部、１１は役物本体部、１２はワープ通路、１４は上ステージ、１５は下ステージ、２０は導入口部、２１は導出口部、２４は戻し装置、２５、２６は振り分け装置、２７は本体、２８〜３３は孔、２８ａ〜３３ａは凹部、２８ｂ〜３３ｂは凸部、３４はセンター役物、４１、４２は振り分け装置、４３はスリットを示す。
【図１】
2006014797.tif 000003
【図２】
2006014797.tif 000004
【図３】
2006014797.tif 000005
【図４】
2006014797.tif 000006
【図５】
2006014797.tif 000007
【図６】
2006014797.tif 000008
【図７】
2006014797.tif 000009
【図８】
2006014797.tif 000010
【図９】
2006014797.tif 000011
【図１０】
2006014797.tif 000012
【図１１】
2006014797.tif 000013
【図１２】
2006014797.tif 000014